(57)【要約】  本発明は、間隔調節装置およびそれを用いるヘッド按摩器に関する。該ヘッド按摩器は、少なくとも第一のハウジング１１０と第二のハウジング１２０を備え、且つ、第一のハウジング１１０と第二のハウジング１２０が相接する位置に間隔調節装置１３０が設けられ、該間隔調節装置１３０は、第一のハウジング１１０と第二のハウジング１２０が相接する位置に取り付けられるハウジングアセンブリーと、ハウジングアセンブリーに取り付けられる駆動機構と、連結棒機構とを備える。連結棒機構は、一端が第一のハウジング１１０及び/又は第二のハウジング１２０に連結し、他の端が駆動機構に連結し、駆動機構で連結棒機構が動作するように動かして第一のハウジング１１０と第二のハウジング１２０の間の間隔を調節する。本発明は、駆動機構で連結棒機構を動かしてヘッド按摩器の第一のハウジング１１０と第二のハウジング１２０の間の距離を調整することができ、先行技術の調節機構の調節が難しく、構造が複雑な欠陥を回避し、構造が簡単で信頼性が高く、操作が便利で、コストが低く、製造が容易で、調整に必要な力を省くなどの利点を有する。
2013508040.tif 000002
【特許請求の範囲】
【請求項１】
ヘッド按摩器の第一のハウジングと第二のハウジングの間隔を調節する間隔調節装置であって、前記間隔調節装置は、前記第一のハウジングと第二のハウジングが相接する位置に取り付けられるハウジングアセンブリーと、前記ハウジングアセンブリーに取り付けられる駆動機構と、連結棒機構とを備え、
前記連結棒機構は、一端が前記第一のハウジング及び/又は第二のハウジングに連結し、他の端が前記駆動機構に連結し、前記駆動機構で前記連結棒機構が動作するように動かして前記第一のハウジングと第二のハウジングの間の間隔を調節することを特徴する間隔調節装置。
【請求項２】
前記連結棒機構は、第一の連結棒を備え、前記連結棒の一端が前記第一のハウジングに枢接し、他の端が前記駆動機構に枢接することを特徴する請求項１に記載の間隔調節装置。
【請求項３】
前記駆動機構は、ノブを備え、前記ノブは、前記ハウジングアセンブリー外に露出する操作部と、前記ハウジングアセンブリーの裏側に設けられる円環状の連結部を備え、
前記第一の連結棒の他の端が前記連結部の円周に枢接することを特徴する請求項２に記載の間隔調節装置。
【請求項４】
前記連結棒機構は、第二の連結棒を更に備え、前記第二の連結棒は、一端が前記第二のハウジングに枢接し、他の端が前記ノブの連結部の円周に枢接する共に、前記第一の連結棒の枢接位置と別々に同一の直線にあって前記ノブの中心に対して対称であることを特徴する請求項３に記載の間隔調節装置。
【請求項５】
前記ハウジングアセンブリーは、前記第一のハウジングと第二のハウジングとの外郭に相互に組み合って設けられるカバーとベースとを備え、
前記カバーに前記ノブの操作部が伸出する開口が設けられ、前記開口の裏側の縁に分度ノッチが設けられ、
前記ノブの連結部が前記分度ノッチに近い側の端面に前記分度ノッチと協同する分度バンプが設けられることを特徴する請求項３または４に記載の間隔調節装置。
【請求項６】
前記カバーの縁に裏側へ延伸するアンダーカットが設けられ、前記ベースに前記アンダーカットと協同するスロットが設けられることを特徴する請求項５に記載の間隔調節装置。
【請求項７】
前記ノブと前記ベースとの間に前記ノブをタイトにプッシュする弾性部材が設けられ、前記ノブの裏側またはベースに前記弾性部材の定位取り付けのための定位機構が設けられることを特徴する請求項５に記載の間隔調節装置。
【請求項８】
前記ベースと前記第一のハウジングの間及び/又は前記ベースと前記第二のハウジングの間にガイド機構が設けられることを特徴する請求項５に記載の間隔調節装置。
【請求項９】
前記ガイド機構は、前記ベースに設けられる一組の平行な第一のガイドピースと、前記第一のハウジング及び/又は第二のハウジングに設けられる一組の平行な第二のガイドピースとを備え、前記第一のガイドピースと第二のガイドピースが相互に協同して前記第一のハウジング及び/又は第二のハウジングの運動に対してガイドすることを特徴する請求項８に記載の間隔調節装置。
【請求項１０】
前記ベースの両端にバッフルが設けられ、前記第一のハウジングと第二のハウジングに前記バッフルと協同するアンダーカットが設けられることを特徴する請求項５に記載の間隔調節装置。
【請求項１１】
前記駆動機構は、前記ハウジングアセンブリーに固定に設けられるナットと、前記ナットと噛合するねじを備え、前記ねじの一端に前記ハウジングを伸出するノブが設けられ、前記ねじの他の端に連結部材が固定に設けられ、前記第一の連結棒の他の端が前記連結部材に枢接することを特徴する請求項２に記載の間隔調節装置。
【請求項１２】
前記連結棒機構は、第二の連結棒を更に備え、前記第二の連結棒は、一端が前記第二のハウジングに枢接し、他の端が前記連結部材に枢接する共に、前記第一の連結棒の枢接位置と別々に同一の直線にあって前記ノブの中心に対して対称であることを特徴する請求項１１に記載の間隔調節装置。
【請求項１３】
別々の第一のハウジングと第二のハウジングを備えるヘッド按摩器であって、前記第一のハウジングと第二のハウジングが相接する位置に少なくとも一つの請求項１〜１２の何れかに記載の間隔調節装置が設けられていることを特徴するヘッド按摩器。
【請求項１４】
前記ヘッド按摩器は、間隔調節装置に別々に取り付けられる第三のハウジングと第四のハウジングとを更に備え、且つ、前記第三のハウジングと第四のハウジングが相接する位置に前記間隔調節装置が取り付けられることを特徴する請求項１３に記載のヘッド按摩器。
【請求項１５】
一端が閉合しないワンピース構造の第一のハウジングと第二のハウジングを備えるヘッド按摩器であって、前記第一のハウジングと第二のハウジングが閉合しない位置に請求項１〜１２の何れかに記載の間隔調節装置が設けられることを特徴するヘッド按摩器。
【発明の詳細な説明】
【技術分野】
【０００１】
本発明は、ヘッド按摩器に関するものであり、具体的に、ヘッド按摩器に用いられる間隔調節装置およびそれを備えるヘッド按摩器に関するものである。
【背景技術】
【０００２】
現有ヘッド按摩器は、一般的に、一つのハウジングを備え、ハウジングの裏側に按摩装置を設け、使用の時にハウジングをヘッドに被ってハウジングの裏側における按摩装置を用いてヘッドを按摩するものである。人のヘッドの大きさには個体差があるため、ハウジングの大きさが人のヘッドにマッチしないと、被る時に不快適な問題が発生し、按摩の効果も大きく下げる。このため、若干の大きさが調節可能なヘッド按摩器も現れ、例えば、複数のリングギアの噛合およびリングギアとラックとの噛合によって第一のハウジングと第二のハウジングとを相対的に移動するように動かし、間隔の調整を実現するヘッド按摩器の間隔調節機構およびそれを備えるヘッド按摩器が一つの中国特許ＺＬ２００７２０１１９５６１.９に公開した。該機構の間隔調節機構は、構造が複雑で、リングギアとラックの噛合精度に要求が比較的に高く、コストが高い。
【発明の概要】
【０００３】
本発明が解決しようとする課題は、先行技術のヘッド按摩器の間隔調節装置が有する複雑な構造、高コストの欠陥に対して、構造が簡単なヘッド按摩器の間隔調節装置およびそれを備えるヘッド按摩器を提供する。
【０００４】
本発明がその課題を解決するために採用する手段は、ヘッド按摩器の第一のハウジングと第二のハウジングの間隔を調節する間隔調節装置であって、前記間隔調節装置は、前記第一のハウジングと第二のハウジングが相接する位置に取り付けられるハウジングアセンブリーと、前記ハウジングアセンブリーに取り付けられる駆動機構と、連結棒機構とを備え、
前記連結棒機構は、一端が前記第一のハウジング及び/又は第二のハウジングに連結し、他の端が前記駆動機構に連結し、前記駆動機構で前記連結棒機構が動作するように動かして前記第一のハウジングと第二のハウジングの間の間隔を調節する間隔調節装置を提供する。
【０００５】
本発明の間隔調節装置において、前記連結棒機構は、第一の連結棒を備え、前記連結棒の一端が前記第一のハウジングに枢接し、他の端が前記駆動機構に枢接する。
【０００６】
本発明の間隔調節装置において、前記駆動機構は、ノブを備え、前記ノブは、前記ハウジングアセンブリー外に露出する操作部と、前記ハウジングアセンブリーの裏側に設けられる円環状の連結部を備え、
前記第一の連結棒の他の端が前記連結部の円周に枢接する。
【０００７】
本発明の間隔調節装置において、前記連結棒機構は、第二の連結棒を更に備え、前記第二の連結棒は、一端が前記第二のハウジングに枢接し、他の端が前記ノブの連結部の円周に枢接する共に、前記第一の連結棒の枢接位置と別々に同一の直線にあって前記ノブの中心に対して対称である。
【０００８】
本発明の間隔調節装置において、前記ハウジングアセンブリーは、前記第一のハウジングと第二のハウジングとの外郭に相互に組み合って設けられるカバーとベースを備え、
前記カバーに前記ノブの操作部が伸出する開口が設けられ、前記開口の裏側の縁に分度ノッチが設けられ、
前記ノブの連結部が前記分度ノッチに近い側の端面に前記分度ノッチと協同する分度バンプが設けられる。
【０００９】
本発明の間隔調節装置において、前記カバーの縁に裏側へ延伸するアンダーカットが設けられ、前記ベースに前記アンダーカットと協同するスロットが設けられる。
【００１０】
本発明の間隔調節装置において、前記ノブと前記ベースの間に前記ノブをタイトにプッシュする弾性部材が設けられ、前記ノブの裏側またはベースに前記弾性部材の定位取り付けのための定位機構が設けられる。
【００１１】
本発明の間隔調節装置において、前記ベースと前記第一のハウジングの間及び/又は前記ベースと前記第二のハウジングの間にガイド機構が設けられる。
【００１２】
本発明の間隔調節装置において、前記ガイド機構は、前記ベースに設けられる一組の平行な第一のガイドピースと、前記第一のハウジング及び/又は第二のハウジングに設けられる一組の平行な第二のガイドピースを備え、前記第一のガイドピースと第二のガイドピースが相互に協同して前記第一のハウジング及び/又は第二のハウジングの運動に対してガイドする。
【００１３】
本発明の間隔調節装置において、前記ベースの両端にバッフルが設けられ、前記第一のハウジングと第二のハウジングに前記バッフルと協同するアンダーカットが設けられる。
【００１４】
本発明の間隔調節装置において、前記駆動機構は、前記ハウジングアセンブリーに固定に設けられるナットと、前記ナットと噛合するねじを備え、前記ねじの一端に前記ハウジングを伸出するノブが設けられ、前記ねじの他の端に連結部材が固定に設けられ、前記第一の連結棒の他の端が前記連結部材に枢接する。
【００１５】
本発明の間隔調節装置において、前記連結棒機構は、第二の連結棒を更に備え、前記第二の連結棒は、一端が前記第二のハウジングに枢接し、他の端が前記連結部材に枢接する共に、前記第一の連結棒の枢接位置と別々に同一の直線にあって前記ノブの中心に対して対称である。
【００１６】
本発明は、別々の第一のハウジングと第二のハウジングを備え、前記第一のハウジングと第二のハウジングが相接する位置に少なくとも一つの前記何れかの前記の間隔調節装置が設けられているヘッド按摩器を更に提供する。
【００１７】
本発明のヘッド按摩器において、間隔調節装置に別々に取り付けられる第三のハウジングと第四のハウジングを更に備え、且つ、前記第三のハウジングと第四のハウジングが相接する位置に前記間隔調節装置が取り付けられる。
【００１８】
本発明は、一端が閉合しないワンピース構造の第一のハウジングと第二のハウジングを備え、前記第一のハウジングと第二のハウジングが閉合しない位置に前記何れかの間隔調節装置が設けられるヘッド按摩器を更に提供する。
本発明を実施するのは、駆動機構で連結棒機構を動かしてヘッド按摩器の第一のハウジングと第二のハウジングの間の距離を調整し、先行技術の調節機構が調節し難しく、構造が複雑な欠陥を避け、構造が簡単で頼もしく、操作が便利で、コストが低く、製造が容易で、調整に力を省くなどの利点という有益な効果を得る。
【００１９】
以下、図面と実施例を結合して本発明について更に説明する。
【図面の簡単な説明】
【００２０】
【図１】本発明のヘッド按摩器の第一実施例の概略図である。
【図２】本発明のヘッド按摩器の第一実施例の分解概略図である。、
【図３】別の角度における本発明のヘッド按摩器の第一実施例の分解概略図である。
【図４】本発明のヘッド按摩器の第一実施例におけるノブとカバーの分解概略図である。
【図５】スタンドアウェーな状態における本発明のヘッド按摩器の第一実施例の概略図である。
【図６】近づいた状態における本発明のヘッド按摩器の第一実施例の概略図である。
【図７】本発明のヘッド按摩器の第二実施例の概略図である。
【図８】本発明のヘッド按摩器の第三実施例における第一のハウジングと第二のハウジングが近寄った状態であるハウジングの部分断面概略図である。
【図９】本発明のヘッド按摩器の第三実施例における第一のハウジングと第二のハウジングが離れた状態であるハウジングの部分断面概略図である。
【図１０】本発明のヘッド按摩器の第三実施例におけるハウジングの部分断面の分解概略図。
【発明を実施するための形態】
【００２１】
本発明の間隔調節装置は、ヘッド按摩器のハウジング同士の間の間隔を調節することに用いて、主に駆動機構で連結棒機構が動作するように動かすことによって、ハウジング同士の間の間隔を調節することを実現する。該ヘッド按摩器は、一般的に、第一のハウジングと第二のハウジングを備え、駆動機構で連結棒機構が動作するように動かして、更に連結棒機構で第一のハウジングと第二のハウジングが相対的に近づくまたは離れるように動かすことによって大きさを調整することを実現し、様々な使用者の応用に適する。以下、具体的なモードを結合して本発明の間隔調節装置およびそれを有するヘッド按摩器を詳しく紹介する。
【００２２】
図１〜図６に示すように、本発明のヘッド按摩器の第一実施例において、第一のハウジング１１０と第二のハウジング１２０は別々の両部分であり、大体の半球状に囲んで、半球状の内部に按摩装置が設けられる（図示せず）。第一のハウジング１１０と第二のハウジング１２０との両者の距離が調節可能となるために、該第一のハウジング１１０と第二のハウジング１２０は二つの独立の部材であり、第一のハウジング１１０と第二のハウジング１２０との両端が相接する位置に間隔調節装置１３０で別々に連結する。
【００２３】
図１〜図５に参考して、その中の一つの間隔調節装置１３０を例にして、該間隔調節装置１３０がどのように実施するのかを詳しく紹介する。該間隔調節装置１３０は、ハウジングアセンブリー、ハウジングアセンブリーに取り付けられる駆動機構と連結棒機構などを備える。連結棒機構は、一端が第一のハウジング１１０及び/又は第二のハウジング１２０に連結し、他の端が駆動機構に連結し、駆動機構で連結棒機構が動作するように動かすことによって第一のハウジング１１０と第二のハウジング１２０の間の間隔を調節する。
【００２４】
本実施例において、連結棒機構は、第一の連結棒１３１と第二の連結棒１３２を備え、該駆動機構は、ノブ１３３を備え、該ノブ１３３が、ハウジングアセンブリー外に露出する操作部１３３３と、ハウジングアセンブリーの裏側に設けられる円環状の連結部１３３４を備える。該第一の連結棒１３１は、一端が第一のハウジング１１０に枢接し、他の端がノブ１３３の円環状の連結部１３３４の円周に枢接する。該第二の連結棒１３２は、一端が第二のハウジング１２０に枢接し、他の端がノブ１３３の円環状の連結部１３３４の円周に枢接し、より好ましいのは、第一の連結棒１３１、第二の連結棒１３２がノブ１３３に枢接する位置は、別々に同一の直線にあって、かつノブ１３３の中心に対して対称である。
【００２５】
具体的に、第一のハウジング１１０の裏側に第一の凸台１１１を設け、ノブ１３３の連結部１３３４に第一の取り付け孔１３３１を設け、対応的に、第一の連結棒１３１の両端に該第一の凸台１１１と第一の取り付け孔１３３１が対応する第一の枢接孔１３１１を別々に設け、スクリュー、リベットなどで連結して第一の連結棒１３１を第一のハウジング１１０とノブ１３３の間に連結する共に、第一のハウジング１１０とノブ１３３に対して回転可能にすることができる。
【００２６】
第二のハウジング１２０の裏側に第二の凸台１２１を設け、ノブ１３３の連結部１３３４に第二の取り付け孔１３３２を設け、対応的に、第二の連結棒１３２の両端に該第二の凸台１２１と第二の取り付け孔１３３２が対応する第二の枢接孔１３２１を別々に設け、スクリュー、リベットなどで連結して第二の連結棒１３２を第二のハウジング１２０とノブ１３３の間に連結する共に、第二のハウジング１２０とノブ１３３に対して回転可能にすることができる。
【００２７】
ノブ１３３を回転することで調節し、外側でノブ１３３の操作部１３３３を回転する場合、ノブ１３３の連結部１３３４が回転するように動かすことによって第一の連結棒１３１と第二の連結棒１３２が移動するように動かして、更に第一のハウジング１１０と第二のハウジング１２０が相対的に近づくまたは離れるように動かすことで、間隔の調節を実現する。
【００２８】
該ハウジングアセンブリーは、第一のハウジング１１０と第二のハウジング１２０との連結端の外郭に相互に組み合って設けられるカバー１３４とベース１３５を備える。本実施例において、該カバー１３４とベース１３５の間にラッチ連結形式で結合し、カバー１３４の縁に裏側へ延伸するアンダーカット１３４１を設け、対応的に、ベース１３５に該アンダーカット１３４１が協同するスロット１３５１を設ける。組立ての場合、ベース１３５とカバー１３４を第一のハウジング１１０と第二のハウジング１２０との調節ギャップの位置に別々に設け、その後、カバー１３４のアンダーカット１３４１をスロット１３５１にスタックすることで、カバー１３４とベース１３５をラッチ連結することができる。カバー１３４とベース１３５の間にその他の形式で連結することができ、例えば、スクリュー、リベット、ボルトなどで両者を固定に組み立てることが理解できる。
【００２９】
ノブ１３３の取り付けを便利にするために、カバー１３４に開口１３４２を設け、ノブ１３３の操作部１３３３が該開口１３４２を伸出することに供する。更に、開口１３４２の裏側の縁に分度ノッチ１３４３を設け、対応的に、ノブ１３３の連結部１３３４が分度ノッチ１３４３に近い側の端面に前記分度ノッチ１３４３が協同する分度バンプ１３３５を設ける。分度ノッチ１３４３と分度バンプ１３３５が協同することで、ノブ１３３が必要に応じて一定の角度を回転して定位し、第一のハウジング１１０と第二のハウジング１２０の間の間隔の分度調節を実現する。更に、スプリング１３６などの弾性部材がノブ１３３とベース１３５の間に設けられ、ノブ１３３をタイトにプッシュして分度バンプ１３３５と分度ノッチ１３４３が終始協同するようにする。更に、ノブ１３３の裏側またはベース１３５に弾性部材の定位取り付けのための定位機構が設けられ、本実施例において、図に示すように、該定位機構はベース１３５が外へ延伸する定位柱１３５４であり、該定位柱がノブの裏側に設けられてもよいことが理解できる。定位機構は定位スロットなどのその他の構造形式を採用してもよい。
【００３０】
更に、第一のハウジング１１０と第二のハウジング１２０がハウジングアセンブリーに対する相対的な運動を確保するために、ベース１３５と第一のハウジング１１０の間に、ベース１３５と第二のハウジング１２０の間にガイド機構が設けられ、第一のハウジング１１０と第二のハウジング１２０の運動に対してガイドする。該ガイド機構は、ベース１３５に設けられる一組の平行な第一のガイドピース１３５２と、第一のハウジング１１０と第二のハウジング１２０に設けられる一組の平行な第二のガイドピース１１２、１２２を備える。第一のガイドピース１３５２と第二のガイドピース１１２、１２２が相互に協同することで、第一のハウジング１１０と第二のハウジング１２０の運動に対してガイドする。
【００３１】
更に、ハウジングアセンブリーから第一のハウジング１１０と第二のハウジング１２０が脱出することを避けるために、ベース１３５の両端にバッフル１３５３を設け、対応的に、第一のハウジング１１０と第二のハウジング１２０に該バッフル１３５３が協同するアンダーカット１１３、１２３を設ける。バッフル１３５３で阻止することによって、アンダーカット１１３、１２３の脱出を防止し、第一のハウジング１１０と第二のハウジング１２０がハウジングアセンブリーから脱出しないようにする。
【００３２】
更に、二つのベース１３５に第三のハウジング１４０を連結して使用者の被りを便利にしてもよい。該第三のハウジング１４０とベース１３５が溶接、接着、スクリュー、リベットまたはボルトなどの方式で固定に連結して一つになることができる。
【００３３】
さらに、使用者の被りの快適性を向上するために、ベース１３５の裏側にスペーサー１５０などを設けてもよい。
【００３４】
組立ての場合、第一の連結棒１３１と第二の連結棒１３２との一端を第一のハウジング１１０と第二のハウジング１２０の第一の凸台１１１和第二の凸台１２１に別々に枢接で連結し、その後、第一のハウジング１１０と第二のハウジング１２０がアンダーカット１１３、１２３を設ける一部、を別々にベース１３５の両側からバッフル１３５３の裏側に挿入し、且つ、第一のハウジング１１０と第二のハウジング１２０との裏側における第二のガイドピース１１２、１２２がベース１３５における第一のガイドピース１３５２と協同してガイド状態になって、その後、第一の連結棒１３１と第二の連結棒１３２との他の端をノブ１３３の第一の取り付け孔１３３１と第二の取り付け孔１３３２に別々に枢接で連結し、その後、カバー１３４の開口１３４２をノブ１３３に合わせて、カバー１３４のアンダーカット１３４１をベース１３５のスロット１３５１内に扣入してカバー１３４とベース１３５をラッチ連結し、ハウジングアセンブリーを第一のハウジング１１０と第二のハウジング１２０が相接する位置に組み立て、且つ、第一のハウジング１１０と第二のハウジング１２０がハウジングアセンブリーに対してスライド可能となり、この時、ノブ１３３の操作部１３３３がハウジングの外側に露出するため、回転の操作が便利である。
【００３５】
第一のハウジング１１０と第二のハウジング１２０の間の距離の調整が必要となる場合、外側でノブ１３３の操作部１３３３を回転してノブ１３３の連結部１３３４が回転するように動かすることによって、第一の連結棒１３１と第二の連結棒１３２が移動するように動かして第一のハウジング１１０と第二のハウジング１２０が相対的に近づく（図６に示すように）または離れる（図５に示すように）ように更に動かし、間隔の調節を実現する。
【００３６】
本発明のヘッド按摩器の第二実施例は、図７に示すように、上述の一実施例との区別が二つのベース２３５に第三のハウジング２４０と第四のハウジング２６０が別々に連結し、第三のハウジング２４０と第四のハウジング２６０がベース連結しない一端が上述の一実施例の間隔調節装置２３０介して連結して第三のハウジング２４０と第四のハウジング２６０の間の調節を実現することであり、その構造が上述の一実施例とほぼ同じなので、贅言しない。
【００３７】
本発明のヘッド按摩器の第三実施例は、図８〜１０に示すように、前記の実施例との区別が、間隔調節装置の構造の違いであり、本実施例の間隔調節装置のハウジングアセンブリーが第一のハウジング４０１と第二のハウジング４０２との外側に設けられ、且つ、第一のハウジング４０１と第二のハウジング４０２がハウジングアセンブリーに対して移動することができる。該ハウジングアセンブリーは、同様に、カバー４０３とベース４１２を備え、その構造形式が第一実施例と同じであり、内部の構造を展示するように図にカバー４０３の一部を概略的に描いている。そして、駆動機構は、ハウジング４０３内に固定に設けられるナット４０４と、ナット４０４が噛合するねじ４０５とを備える。ねじ４０５の外端にノブ４０６が設けられ、ノブ４０６を回転することでねじ４０５が回転するように動かし、更に、ねじ４０５の他の端に固定する結部材４０７が前後に運動するように動かす。
【００３８】
該連結棒機構は、連結部材４０７の両側に別々に位置する第一の連結棒４０８と第二の連結棒４０９を備える。該第一の連結棒４０８は、一端が連結部材４０７の一側に枢接で連結し、他の端が第一のハウジング４０１に枢接で連結する。図１０に示すように、第一の連結棒４０８の取り付けを便利にするように第一のハウジング４０１に凸台４１０が設けられ、該凸台４１０が一体成型で第一のハウジング４０１に形成することができる。第二の連結棒４０９の一端が回転可能のように連結部材４０７の他の側に連結し、第二の連結棒４０９の他の端が回転可能のように第二のハウジング４０２に連結する。第二の連結棒４０９の取り付けを便利にするために、該第二のハウジング４０２に凸台４１１が設けられ、該凸台４１１が一体成型で第二のハウジング４０２に形成することができる。このような回転可能な連結が回転軸、ピンなどの構造で実現することができることが理解できる。
【００３９】
第一のハウジング４０１と第二のハウジング４０２の間の距離の調整が必要となる場合、ノブ４０６を回転してねじ４０５が回転するように動かし、この時、ナット４０４が固定されて移動しないため、ねじ４０５が前後に運動し、ねじ４０５が前後に運動する場合、連結部材４０７が前後に運動するように動かして第一の連結棒４０８と第二の連結棒４０９が回転して前後に運動するように動かすことによって、第一のハウジング４０１と第二のハウジング４０２が近づく（図８に示すように）または両ハウジングの距離が増加するように動かす（図９に示すように）。
【００４０】
勿論、間隔調節装置の数、機構は、第一のハウジングと第二のハウジングとの構造に応じてすることができ、第一のハウジングと第二のハウジングが前記実施例の別々の両部分であることがよいが、一端が閉合しないワンピース構造であり、このため、両ハウジングが閉合しない端を連結してその大きさを調整するように一つだけの間隔調節装置を設けることが必要となることもよく、該間隔調節装置が前記の何れかの間隔調節装置であってもよい。
【００４１】
以上、図面を結合して本発明の実施例を説明したが、本発明は前記の具体モードに限るものではなく、前記の具体モードが説明するものだけで、制限するものではなく、本分野の従業者は、本発明の示唆を基づいて、本発明の旨と請求の範囲から逸脱しない場合、本発明の保護に属する沢山の形式を作ることができる。
【図１】
2013508040.tif 000003
【図２】
2013508040.tif 000004
【図３】
2013508040.tif 000005
【図４】
2013508040.tif 000006
【図５】
2013508040.tif 000007
【図６】
2013508040.tif 000008
【図７】
2013508040.tif 000009
【図８】
2013508040.tif 000010
【図９】
2013508040.tif 000011
【図１０】
2013508040.tif 000012
【国際調査報告】
2013508040.tif 000013
2013508040.tif 000014
2013508040.tif 000015
2013508040.tif 000016
2013508040.tif 000017
2013508040.tif 000018